(57)【要約】【課題】通路の両端部に設けられた第１部屋と第２部屋とから戸を１回だけ開けるだけで通路両側の収納所にアクセスできるとともに大型収納所を設けることができる建物を提供する。【解決手段】通路１４の両端部側にそれぞれ第１部屋２と第２部屋１２とが配置され、通路１４の両側に収納所１５，１６がそれぞれ配置され、一方の収納所１５の開口部と、第１部屋側の通路端部とを選択的に開閉可能な第１開閉戸２１が取り付けられ、他方の収納所１６の開口部と、第２部屋１２側の通路端部とを選択的に開閉可能な第２開閉戸２２が取り付けられているので、第１開閉戸２１および第２開閉戸２２を１回だけ開けることによって、収納所１５，１６にアクセスできる。また、通路の両端部を第１開閉戸２１および第２開閉戸２２で閉めることによって、通路１４とその両側の収納所１５，１６を併せた大型収納所を設けることができる。【選択図】図２
2010185200.tif 000002
【特許請求の範囲】
【請求項１】
通路の両端部側にそれぞれ第１部屋と第２部屋とが配置された建物において、
前記通路の両側には、この通路に向けて開口する収納所がそれぞれ配置されており、
前記一方の収納所の開口部の一側部には、この開口部と、前記第１部屋側の通路端部とを選択的に開閉可能な第１開閉戸が取り付けられ、
前記他方の収納所の開口部の一側部には、この開口部と、前記第２部屋側の通路端部とを選択的に開閉可能な第２開閉戸が取り付けられていることを特徴とする建物。
【請求項２】
請求項１に記載の建物において、
前記収納所の開口部の幅と、前記通路の両端部の幅とが等しくなっており、
前記第１開閉戸は、前記一方の収納所の開口部の一側部に、平面視において回転可能に取り付けられた一枚戸または折り戸であり、
前記第２開閉戸は、前記他方の収納所の開口部の一側部に、平面視において回転可能に取り付けられた一枚戸または折り戸であることを特徴とする建物。
【請求項３】
請求項１に記載の建物において、
前記第１開閉戸は、前記一方の収納所の開口部の一側部に、平面視において回転可能に取り付けられたアコーディオン型の戸であり、
前記第２開閉戸は、前記他方の収納所の開口部の一側部に、平面視において回転可能に取り付けられたアコーディオン型の戸であることを特徴とする建物。
【請求項４】
請求項２または３に記載の建物において、
前記第１開閉戸と第２開閉戸とは、それぞれ前記第１部屋と前記第２部屋とに位置するように回転可能であることを特徴とする建物。
【請求項５】
請求項１〜４のいずれか一項に記載の建物において、
前記第１部屋は玄関土間であり、前記第２部屋は土間であることを特徴とする建物。 
【発明の詳細な説明】
【技術分野】
【０００１】
本発明は、通路の両端部にそれぞれ部屋が通路を挟んで隣り合って配置された建物に関する。
【背景技術】
【０００２】
通路の両端部にそれぞれ部屋が通路を挟んで隣り合って配置された建物の一例として特許文献１に記載のものが知られている。
この建物では、一方の部屋と他方の部屋との間に、双方向への通路を兼ねた作業室が設けられている。また、この通路を兼ねた作業室の側方には、この作業室側に開口する収納所が設けられており、この収納所の開口は引違い式の戸で開閉されるようになっている。また、通路を兼ねた作業室と一方の部屋とを仕切る壁には扉が設けられている。
したがって、通路を兼ねた作業室は扉を開けることにより、２つの部屋の双方向への通路として機能するようになっている。
【先行技術文献】
【特許文献】
【０００３】
【特許文献１】特開平８−１３５２０９号公報
【発明の概要】
【発明が解決しようとする課題】
【０００４】
ところで、前記従来の建物では、一方の部屋から収納所にアクセスする場合、一方の部屋と作業室との間の扉と、収納所の引違い式の戸の双方を開ける必要、つまり戸を２回開ける必要があり、手間がかかる。
また、他方の部屋から収納所にアクセスする場合、収納所の引違い式の戸を１回だけ開ければよいが、他方の部屋から通路を兼ねた作業室が常に見えてしまうので、この作業室を大型の収納所として使用し難い。
【０００５】
本発明は上記事情に鑑みてなされたもので、第１部屋と第２部屋とが通路を挟んで隣り合って配置された建物において、この通路の両側に収納所を設けた場合に、第１部屋と第２部屋との双方から戸を１回だけ開けるだけで収納所にアクセスできるとともに、通路とその両側の収納所を併せた大型収納所を第１部屋および第２部屋用の収納所として使用できる建物を提供することを課題としている。
【課題を解決するための手段】
【０００６】
上記課題を解決するために、請求項１に記載の発明は、例えば図１および図２に示すように、通路１４の両端部側にそれぞれ第１部屋（玄関土間）２と第２部屋（土間）１２とが配置された建物において、
前記通路１４の両側には、この通路１４に向けて開口する収納所１５，１６がそれぞれ配置されており、
前記一方の収納所１５の開口部の一側部には、この開口部と、前記第１部屋２側の通路端部とを選択的に開閉可能な第１開閉戸２１が取り付けられ、
前記他方の収納所１６の開口部の一側部には、この開口部と、前記第２部屋１２側の通路端部とを選択的に開閉可能な第２開閉戸２２が取り付けられていることを特徴とする。
【０００７】
請求項１に記載の発明によれば、第１開閉戸２１を１回だけ開けることによって、第１部屋２から一方の収納所１５にアクセスできるとともに、第２開閉戸２２を１回だけ開けることによって、第２部屋１２から他方の収納所１６にアクセスできる。
また、第１部屋２側の通路端部を第１開閉戸２１で閉めるとともに、第２部屋１２側の通路端部を第２開閉戸２２で閉めることによって、通路１４とその両側の収納所１５，１６を併せた大型収納所を第１部屋２および第２部屋１２用の収納所として使用できる。
【０００８】
請求項２に記載の発明は、請求項１に記載の建物において、
前記収納所１５，１６の開口部の幅と、前記通路１４の両端部の幅とが等しくなっており、
前記第１開閉戸２１は、前記一方の収納所１５の開口部の一側部に、平面視において回転可能に取り付けられた一枚戸または折り戸であり、
前記第２開閉戸２２は、前記他方の収納所１６の開口部の一側部に、平面視において回転可能に取り付けられた一枚戸または折り戸であることを特徴とする。
【０００９】
請求項２に記載の発明によれば、収納所１５，１６の開口部の幅と、通路１４の両端部の幅とが等しくなっているので、一枚戸または折り戸で構成された第１開閉戸２１および第２開閉戸２２によって、双方の収納所１５，１６の開口部と通路１４の端部とを選択的に隙間無く塞ぐことができる。
【００１０】
請求項３に記載の発明は、請求項１に記載の建物において、例えば図４に示すように、
前記第１開閉戸３１は、前記一方の収納所１５の開口部の一側部に、平面視において回転可能に取り付けられたアコーディオン型の戸であり、
前記第２開閉戸３２は、前記他方の収納所１６の開口部の一側部に、平面視において回転可能に取り付けられたアコーディオン型の戸であることを特徴とする。
【００１１】
請求項３に記載の発明によれば、第１開閉戸３１および第２開閉戸３２がそれぞれアコーディオン型の戸であるので、双方の収納所１５，１６の開口部の幅と、通路１４の両端部の幅とが異なる場合でも、第１開閉戸３１および第２開閉戸３２によって、双方の収納所１５，１６の開口部と通路１４の端部とを選択的に隙間無く塞ぐことができる。
【００１２】
請求項４に記載の発明は、請求項２または３に記載の建物において、
前記第１開閉戸２１と第２開閉戸２２とは、それぞれ前記第１部屋２と前記第２部屋１２とに位置するように回転可能であることを特徴とする。
【００１３】
請求項４に記載の発明によれば、第１開閉戸２１および第２開閉戸２２をそれぞれ回転して第１部屋２と第２部屋１２とに位置させることによって、通路１４を通過可能にした状態で双方の収納所１５，１６を開けておくことができる。
【００１４】
請求項５に記載の発明は、請求項１〜４のいずれか一項に記載の建物において、
前記第１部屋２は玄関土間２であり、前記第２部屋１２は土間１２であることを特徴とする。
【００１５】
請求項５に記載の発明によれば、第１開閉戸２１および第２開閉戸２２のうちの少なくともいずれか一方の開閉戸によって、通路１４の端部を閉じることによって、玄関土間２と土間１２とを仕切ることができる。したがって、玄関土間２の来客と土間１２に居る住人や他の来客が互いに顔を合わせることがなく、お互いに気を使うことがない。
また、玄関土間２側の通路端部を開口し、土間１２側の通路端部を第２開閉戸２２で閉じることによって、通路１４を比較的大きな来客用の収納所とすることができ、この収納所に比較的大きな荷物を玄関土間２や土間１２で邪魔になることなく収納できる。
【発明の効果】
【００１６】
本発明によれば、通路の両端部側にそれぞれ第１部屋と第２部屋とが配置され、前記通路の両側に、この通路に向けて開口する収納所がそれぞれ配置されており、一方の収納所の開口部の一側部に、この開口部と、前記第１部屋側の通路端部とを選択的に開閉可能な第１開閉戸が取り付けられ、他方の収納所の開口部の一側部に、この開口部と、前記第２部屋側の通路端部とを選択的に開閉可能な第２開閉戸が取り付けられているので、第１開閉戸を１回だけ開けることによって、第１部屋から一方の収納所にアクセスできるとともに、第２開閉戸を１回だけ開けることによって、第２部屋から他方の収納所にアクセスできる。
また、第１部屋側の通路端部を第１開閉戸で閉めるとともに、第２部屋側の通路端部を第２開閉戸で閉めることによって、通路とその両側の収納所を併せた大型収納所を第１部屋および第２部屋用の収納所として使用できる。
【図面の簡単な説明】
【００１７】
【図１】本発明に係る建物の一例を示すもので、その平面図である。
【図２】同、要部の平面図である。
【図３】本発明に係る建物の第二例を示すもので、要部の平面図である。
【図４】本発明に係る建物の第三例を示すもので、要部の平面図である。
【発明を実施するための形態】
【００１８】
以下図面を参照して本発明の実施の形態について説明する。
（第１の実施の形態）
図１は本発明に係る建物の一例を示す１階の平面図である。図１において符号１は、玄関を示す。この玄関１は建物の西側に設けられており、玄関土間２、玄関ホール３、玄関ポーチ４等から構成されている。
玄関ホール３の北側に廊下５を挟んで洗面室６が設けられており、この洗面室６の西側に浴室７が設けられている。浴室７と玄関土間２との間にはトイレ８が設けられている。
また、玄関ホール３の東側に収納室９が設けられており、この収納室９の東側にダイニングキッチン１０が設けられている。このダイニングキッチン１０の南側に居間１１が設けられている。なお、玄関ホール３、廊下５、ダイニングキッチン１０、居間１１等の床レベルは等しくなっている。
【００１９】
前記玄関土間（第１部屋）２の南側に土間（第２部屋）１２が設けられており、この土間１２の東側に隣接して部屋１３が土間１２と壁によって仕切られないようにして設けられている。つまり、土間１２と部屋１３との境界部には、引違い式の引戸が設けられ、この引戸を閉めることによって、土間１２と部屋１３とは仕切ることができるが、引戸を開けるか、または外すことによって、土間１２と部屋１３とは仕切られていない状態となる。
部屋１３の床レベルは、前記玄関ホール３の床レベルより約２００ｍｍ程度高くなっている。また、玄関ホール３の床レベルは、玄関土間２の床レベルより約２００ｍｍ程度高くなっている。玄関土間２と土間１２の床レベルは等しいので、部屋１３の床レベルは、土間１２の床レベルより約４００ｍｍ程度高くなっている。この床レベルの差は、土間側から部屋１３の床に腰掛けるのに好ましいものとなっている。
【００２０】
玄関土間（第１部屋）２と土間（第２部屋）１２との間には通路１４が配置されている。つまり通路１４の両端部側にそれぞれ通路１４挟んで玄関土間２と土間１２とが隣り合って配置されている。また、この土間１２の床レベルは玄関土間２、通路１４の床レベルと等しくなっている。通路１４は土間通路であり、その両側には、通路１４に向けて開口する収納所１５，１６が通路１４を挟んで対向配置されている。
また、収納所１５，１６の開口幅は通路１４の通路長とほぼ等しくなっており、収納所１５，１６の床レベルは通路１４の床レベルと等しくなっている。
収納所１５，１６はそれぞれ中央壁部１７ａとこの中央壁部１７ａの両端部にそれぞれ直角に設けられた側壁部１７ｂ，１７ｂとからなる平面視コ字型のコ字型壁１７によって形成されている。収納所１５，１６を形成するコ字型壁１７は壁パネルで構成されており、一方の収納所１５を形成するコ字型壁１７は建物内に配置されており、他方の収納所１６を形成するコ字型壁１７の一部（中央壁部１７ａと側壁部１７ｂの一部）は、外側に面している。
【００２１】
一方の収納所１５を形成するコ字型壁１７の中央壁部１７ａは玄関１の上り框１ａの延長上に配置され、側壁部１７ｂ，１７ｂは中央壁部１７ａから通路１４側に向けて延出するようにして配置されている。
他方の収納所１６を形成するコ字型壁１７の中央壁部１７ａは建物の外壁の一部を構成しており、側壁部１７ｂ，１７ｂは中央壁部１７ａから通路１４側に向けて延出するようにして配置されている。
このように二つのコ字型壁１７，１７を対向離間して配置することによって、通路１４の両側に収納所１５，１６を容易に形成することができる。
【００２２】
また、前記一方の収納所１５の開口部の幅と、通路１４の玄関土間２側の端部の幅は等しくなっている。
一方の収納所１５の開口部の一側部（玄関土間２側の一側部）には、この開口部と、玄関土間２側の通路１４の端部とを選択的に開閉可能な第１開閉戸２１が取り付けられている。第１開閉戸２１は一枚戸であり、その上下左右の長さは、収納所１５の開口部の上下左右の長さと等しくなっている。そして、この第１開閉戸２１は、その平面視における一端部が収納所１５を形成するコ字型壁１７の側壁部１７ｂの先端部に蝶番２３を介して回転可能に取り付けられている。さらに、第１開閉戸２１は、玄関土間２に位置するように回転可能に取り付けられている。
したがって、第１開閉戸２１は、一方の収納所１５の開口部を閉じる位置、通路１４の玄関土間２側の端部を閉じる位置、玄関土間２内の所定の位置のそれぞれに向けて回転して選択的に位置できるようになっている。
なお、第１開閉戸２１の両面にはそれぞれ取手２１ａ，２１ａが取り付けられている。
【００２３】
また、前記他方の収納所１６の開口部の幅と、通路１４の土間１２側の端部の幅は等しくなっている。
他方の収納所１６の開口部の一側部（土間１２側の一側部）には、この開口部と、玄関土間２側の通路１４の端部とを選択的に開閉可能な第２開閉戸２２が取り付けられている。第２開閉戸２２は一枚戸であり、その上下左右の長さは、収納所１６の開口部の上下左右の長さと等しくなっている。そして、この第２開閉戸２２は、その平面視における一端部が収納所１６を形成するコ字型壁１７の側壁部１７ｂの先端部に蝶番２３を介して回転可能に取り付けられている。さらに、第２開閉戸２２は、土間１２に位置するように回転可能に取り付けられている。
したがって、第２開閉戸２２は、他方の収納所１６の開口部を閉じる位置、通路１４の土間１２側の端部を閉じる位置、土間１２内の所定の位置のそれぞれに向けて回転して選択的に位置できるようになっている。
なお、第１開閉戸２２の両面にはそれぞれ取手２２ａ，２２ａが取り付けられている。
【００２４】
上記のように構成された建物では、第１開閉戸２１および第２開閉戸２２でそれぞれ収納所１５，１６の開口部を閉じることによって、通路１４を通って玄関土間２と土間１２との間を行き来できる。
また、通路１４にて、第１開閉戸２１を開けることによって一方の収納所１５にアクセスでき、第２開閉戸２２を開けることによって他方の収納所１６にアクセスできる。
さらに、玄関土間２側の通路１４の端部を第１開閉戸２１で閉めるとともに、土間１２側の通路１４の端部を第２開閉戸２２で閉めることによって、通路１４とその両側の収納所１５，１６を併せた大型収納所となる。
【００２５】
本実施の形態によれば、第１開閉戸２１を１回だけ開けることによって、玄関土間から一方の収納所１５にアクセスできるとともに、第２開閉戸２２を１回だけ開けることによって、土間１２から他方の収納所１６にアクセスできる。
また、玄関土間２側の通路１４の端部を第１開閉戸２１で閉めるとともに、土間１２側の通路１４の端部を第２開閉戸２２で閉めることによって、通路１４とその両側の収納所１５，１６を併せた大型収納所を玄関土間２および土間１２屋用の収納所として使用できる。
【００２６】
また、収納所１５，１６の開口部の幅と、通路１４の両端部の幅とが等しくなっているので、一枚戸で構成された第１開閉戸２１および第２開閉戸２２によって、双方の収納所１５，１６の開口部と通路１４の端部とを選択的に隙間無く塞ぐことができる。
さらに、第１開閉戸２１および第２開閉戸２２をそれぞれ回転して玄関土間２と土間１２とに位置させることによって、通路１４を通過可能にした状態で双方の収納所１５，１６を開けておくことができる。
【００２７】
また、第１開閉戸２１および第２開閉戸２２のうちの少なくともいずれか一方の開閉戸によって、通路１４の端部を閉じることによって、玄関土間２と土間１２とを仕切ることができる。したがって、玄関土間２の来客と土間１２に居る住人や他の来客が互いに顔を合わせることがなく、お互いに気を使うことがない。
また、玄関土間２側の通路１４の端部を開口し、土間１２側の通路１４の端部を第２開閉戸２２で閉じることによって、通路１４を比較的大きな来客用の収納所とすることができ、この収納所に比較的大きな荷物を玄関土間２や土間１２で邪魔になることなく収納できる。
【００２８】
なお、本実施の形態では、第１開閉戸２１および第２開閉戸２２を一枚戸で構成したが、これに代えて、折り戸で構成してもよい。このようにすれば、収納所１５，１６の開口部をそれぞれ折り戸で開けた場合に、通路１４の端部を全て閉じることなく、一部開けておくことができる。
【００２９】
（第２の実施の形態）
図３は第２の実施の形態を示す平面図である。第２の実施の形態では、収納所および第１および第２開閉戸の構成が第１の実施の形態と異なるので、以下ではこの相違点について詳しく説明し、第１の実施の形態と共通部分には同一符号を付してその説明を省略する。
第２の実施の形態では、収納所１５，１６の形状や大きさは第１の実施の形態の収納所１５，１６と同じであるが、収納所１５，１６の開口部の幅が異なっている。
すなわち、収納所１５，１６をそれぞれ形成するコ字型壁１７の一方の側壁部１７ｂに壁２５が直角に接合されており、これによって収納所１５，１６のそれぞれの開口部の幅が、第１の実施の形態に比べて半分程度に小さくなっている。一方の収納所１５では、土間１２側の側壁部１７ｂに壁２５が接合されており、他方の収納所１６では玄関土間２側の側壁部１７ｂに壁２５が接合されている。
【００３０】
また、収納所１５，１６をそれぞれ形成するコ字型壁１７の一方の側壁部１７ｂに壁２６が、該側壁部１７ｂから延出すようにして接合されており、これによって、通路１４の端部の幅が、第１の実施の形態に比べて半分程度に小さくなっている。一方の収納所１５を形成するコ字型壁１７の土間１２側の側壁部１７ｂに壁２６が接合されており、他方の収納所１６を形成するコ字型壁１７の玄関土間２側の側壁部１７ｂに壁２６が接合されている。
【００３１】
一方の収納所１５の開口部と、玄関土間２側の通路１４の端部とを選択的に開閉可能な第１開閉戸２７は前記第１開閉戸２１に比べて幅が半分程度のものであり、その平面視における一端部が収納所１５を形成するコ字型壁１７の玄関土間２側の側壁部１７ｂの先端部に蝶番２３を介して回転可能に取り付けられている。さらに、第１開閉戸２７は、玄関土間２に位置するように回転可能に取り付けられている。
したがって、第１開閉戸２７は、一方の収納所１５の開口部を閉じる位置、通路１４の玄関土間２側の端部を閉じる位置、玄関土間２内の所定の位置のそれぞれに向けて回転して選択的に位置できるようになっている。
【００３２】
他方の収納所１６の開口部と、土間１２側の通路１４の端部とを選択的に開閉可能な第２開閉戸２８は前記第２開閉戸２２に比べて幅が半分程度のものであり、その平面視における一端部が収納所１６を形成するコ字型壁１７の土間１２側の側壁部１７ｂの先端部に蝶番２３を介して回転可能に取り付けられている。さらに、第２開閉戸２８は、土間１２に位置するように回転可能に取り付けられている。
したがって、第２開閉戸２８は、他方の収納所１６の開口部を閉じる位置、通路１４の土間１２側の端部を閉じる位置、土間１２内の所定の位置のそれぞれに向けて回転して選択的に位置できるようになっている。
【００３３】
第２の実施の形態によれば、第１の実施の形態と同様の効果を得ることができる他、通路１４の土間１２側の端部に壁２６が第１開閉戸２７に対向して配置されるとともに、通路１４の玄関土間２側の端部に壁２６が第２開閉戸２８に対向して配置されているので、第１開閉戸２７および第２開閉戸２８によって通路１４の両端部を閉じていない場合でも、玄関土間２から土間１２にまたはその逆方向に直接視線が届くことがないので、玄関土間２の来客と土間１２に居る住人や他の来客が互いに顔を合わせ難くなり、お互いに気を使うことが少なくなる。
【００３４】
（第３の実施の形態）
図４は第３の実施の形態を示す平面図である。第３の実施の形態では、収納所、第１および第２開閉戸、通路の構成が第１の実施の形態と異なるので、以下ではこの相違点について詳しく説明し、第１の実施の形態と共通部分には同一符号を付してその説明を省略する。
第１の実施の形態では、収納所１５，１６の開口部の幅と、通路１４の両端部の幅が等しくなっているのに対し、第３の実施の形態では、収納所１５，１６の開口部の幅と、通路１４の両端部の幅が異なっている。収納所１５，１６の開口部の幅が通路１４の両端部の幅より大きくなっている。
【００３５】
したがって、第３の実施の形態では、一方の収納所１５の開口部と、玄関土間２側の通路１４の端部とを選択的に開閉可能な第１開閉戸３１はアコーディオン型の戸で構成されている。このアコーディオン型の戸は、アコーディオンカーテンであってもよいし、複数の上下に長尺な長板をそれらの長辺方向に沿う縁部で折曲可能に接続した戸であってもよい。このような第１開閉戸３１は、その平面視における一端部が収納所１５を形成するコ字型壁１７の玄関土間２側の側壁部１７ｂの先端部に蝶番２３を介して回転可能に取り付けられている。
したがって、第１開閉戸３１は、一方の収納所１５の開口部を閉じる位置、通路１４の玄関土間２側の端部を閉じる位置に向けて回転して選択的に位置できるようになっている。
なお、第１開閉戸３１をさらに玄関土間２に位置するように回転可能に取り付けてもよい。
【００３６】
また、他方の収納所１６の開口部と、玄関土間２側の通路１４の端部とを選択的に開閉可能な第２開閉戸３２も第１開閉戸３１と同様のアコーディオン型の戸で構成されている。このような第２開閉戸３２は、その平面視における一端部が収納所１６を形成するコ字型壁１７の土間１２側の側壁部１７ｂの先端部に蝶番２３を介して回転可能に取り付けられている。
したがって、第２開閉戸３２は、他方の収納所１６の開口部を閉じる位置、通路１４の土間１２側の端部を閉じる位置に向けて回転して選択的に位置できるようになっている。
なお、第２開閉戸３２を、土間１２に位置するように回転可能に取り付けてもよい。
【００３７】
また、前記第１開閉戸３１および第２開閉戸３２がアコーディオンカーテンである場合、このアコーディオンカーテンを吊り下げるレールの平面視における一端部を、収納所１５，１６をそれぞれ形成するコ字型壁１７の側壁部１７ｂの先端部に蝶番２３を介して回転可能に取り付ければよい。
【００３８】
第３の実施の形態によれば、第１の実施の形態と同様の効果を得ることができる他、第１開閉戸３１および第２開閉戸３２がそれぞれアコーディオン型の戸であるので、収納所１５，１６の開口部の幅と、通路１４の両端部の幅とが異なる場合でも、第１開閉戸３１および第２開閉戸３２によって、双方の収納所１５，１６の開口部と通路１４の端部とを選択的に隙間無く塞ぐことができる。
【００３９】
なお、第１〜第３実施の形態では、本発明に係る建物の第１部屋と第２部屋とを、玄関土間と土間に適用した場合を例にとって説明したが、第１部屋および第２部屋は建物内に通路を挟んで隣り合って配置された部屋であればどのような部屋でもよい。
【符号の説明】
【００４０】
２  玄関土間（第１部屋）
１２  土間（第２部屋）
１４  通路
１５  一方の収納所
１６  他方の収納所
２０，２７，３１  第１開閉戸
２１，２８，３２  第２開閉戸
【図１】
2010185200.tif 000003
【図２】
2010185200.tif 000004
【図３】
2010185200.tif 000005
【図４】
2010185200.tif 000006